(57)【要約】【課題】  相対回転する一対の髪ばさみが共に回転できるようにして、別途に部品を取り替えなくても、ストレート、ウェーブ及びカールなどの多様なヘアスタイルの演出を可能にする美容用コテを提供する。【解決手段】  相互開閉可能に結合される一対の髪ばさみと該髪ばさみ上に挿着された発熱手段を備えた美容用コテにおいて、前記髪ばさみを上下に移動させることで、髪ばさみ間の角度を変化させる髪ばさみ開閉部と、前記髪ばさみを回転可能に支持する回転体と、前記回転体を、回転中心線を中心に回転できるよう、支持する固定基体と、前記回転体を回転させるため、前記固定基体に装着される駆動モータと、前記駆動モータを動作させる駆動ボタンとを含む。【選択図】  図２
2005152588.tif 000002
【特許請求の範囲】
【請求項１】
相互開閉可能に結合される一対の髪ばさみと該髪ばさみ上に挿着された発熱手段を備えた美容用コテにおいて、
前記髪ばさみを上下に移動させることで、髪ばさみ間の角度を変化させる髪ばさみ開閉部と、
前記髪ばさみを回転可能に支持する回転体と、前記回転体を、回転中心線を中心に回転できるよう、支持する固定基体と、前記回転体を回転させるため、前記固定基体に装着される駆動モータと、前記駆動モータを動作させる駆動ボタンとを有することを特徴とする美容用コテ。
【請求項２】
前記髪ばさみ開閉部は、前記髪ばさみを初期位置に復帰させる復帰手段と、前記髪ばさみを相互離隔する方向に開放させる開放手段とからなることを特徴とする請求項１に記載の美容用コテ。
【請求項３】
前記復帰手段は弾性スプリングであることを特徴とする請求項１に記載の美容用コテ。
【請求項４】
前記開放手段は、前記髪ばさみから延長して前記回転中心線に対称に配置され、前記回転中心線に沿って傾いた従動傾斜面を有する従動体と、前記従動傾斜面と接触する駆動傾斜面を有し、前記回転中心線に沿って移動する駆動体と、前記駆動体を前記回転中心線に沿って移動させる回転ボタンとからなることを特徴とする請求項１に記載の美容用コテ。
【請求項５】
前記髪ばさみ回転部は、一側端部が前記回転体に連結され、他側端部が従動ベベルギヤに連結された回転軸と、前記駆動モータにより回転され、前記従動ベベルギヤと噛み合い、前記駆動モータの回転により前記回転体を回転させる駆動ベベルギヤとを含むことを特徴とする請求項１に記載の美容用コテ。
【請求項６】
前記駆動ベベルギヤは減速器を介して駆動モータに連結されることを特徴とする請求項５に記載の美容用コテ。
【請求項７】
前記一対の髪ばさみは、熱伝導率が低く、熱により概して変形されない材質からなり、前記一対の髪ばさみが相互接触する部位を除いた残り部分を取り囲み、必要に応じて分離可能になった安全具をさらに含むことを特徴とする請求項１に記載の美容用コテ。
【請求項８】
前記一対の髪ばさみにはそれぞれ多数の安全具装着溝が長手方向に設けられ、前記安全具には、前記安全具装着溝が挿入される多数の突起が設けられることを特徴とする請求項７に記載の美容用コテ。
【発明の詳細な説明】
【技術分野】
【０００１】
本発明は美容用コテに係り、より詳しくは上下方向に相対開閉可能な第１髪ばさみと第２髪ばさみが回転軸を中心に共に回転できるようにして、コテの取り替えなしにもストレート、ウェーブ及びカールなどの多様なヘアスタイルの演出を可能にする美容用コテに関するものである。
【背景技術】
【０００２】
一般に、美容器具の一つであるコテは火で熱してヘアスタイルを整える髪ばさみ状の器具であって、髪の毛が髪ばさみ間を通過するとき、髪ばさみから伝達される熱により髪の毛をスタイリングするものである。
通常、美容用コテは、鋏状の第１及び第２髪ばさみを有し、この髪ばさみのいずれか一方又は両方は上下方向に一定角度だけ相対開閉され、第１及び第２髪ばさみのそれぞれには、外部の電源供給により発熱する発熱手段が挿着される。
このようなコテを用いてヘアスタイルを変えるためには、一定温度に加熱された第１及び第２髪ばさみ間に髪の毛を位置させ、両髪ばさみで加圧して髪の毛をストレートにし、あるいはカールにしている。
【０００３】
ところで、従来のコテは、ヘアスタイルを変えるか又は新しく演出するためには、髪の毛をカールする過程が重要であるにもかかわらず、髪ばさみが回転軸を中心に共に回転できるようにする構造が全く設けられていない。
したがって、従来のコテを使用する場合は、ストレート用コテ、ウェーブ用コテなどの多様なコテを用意しておき、演出しようとするヘアスタイルに応じて対応コテを使用しなければならないため、使用上の不便さとコスト増大の問題点があった。
【発明の開示】
【発明が解決しようとする課題】
【０００４】
したがって、本発明は前記のような従来の問題点を解決するためのもので、相対開閉する第１及び第２髪ばさみが共に回転できるようにして、コテを取り替えなくても、ストレート、ウェーブ及びカールなどの多様なヘアスタイルの演出を可能にする美容用コテを提供することにその目的がある。
【課題を解決するための手段】
【０００５】
前記目的を達成するため、本発明は、相互開閉可能に結合される一対の髪ばさみと該髪ばさみ上に挿着された発熱手段を備えた美容用コテにおいて、前記髪ばさみを上下に回動させることで、髪ばさみ間の角度を変化させる髪ばさみ開閉部と、前記髪ばさみを回転可能に支持する回転体と、前記回転体を、回転中心線を中心に回転できるよう、支持する固定基体と、前記回転体を回転させるため、前記固定基体に装着される駆動モータと、前記駆動モータを動作させる駆動ボタンとを含んでなる美容用コテを提供する。
前記髪ばさみ開閉部は、前記髪ばさみを初期位置に復帰させる復帰手段と、前記髪ばさみを相互離隔する方向に開放させる開放手段とからなることが好ましい。前記復帰手段は弾性スプリングであることが好ましい。
【０００６】
前記開放手段は、前記髪ばさみから延長して前記回転中心線に対称に配置され、前記回転中心線に沿って傾いた従動傾斜面を有する従動体と、前記従動傾斜面と接触する駆動傾斜面を有し、前記回転中心線に沿って移動する駆動体と、前記駆動体を前記回転中心線に沿って移動させる回転ボタンとからなることが好ましい。
【０００７】
前記髪ばさみ回転部は、一側端部が前記回転体に連結され、他側端部が従動ベベルギヤに連結された回転軸と、前記駆動モータにより回転され、前記従動ベベルギヤと噛み合い、前記駆動モータの回転により前記回転体を回転させる駆動ベベルギヤとを含むことが好ましい。
【０００８】
前記駆動ベベルギヤは減速器を介して駆動モータに連結されることが好ましい。
前記一対の髪ばさみは、熱伝導率が低く、熱によりめったに変形されない材質からなり、前記一対の髪ばさみが相互接触する部位を除いた残り部分を取り囲み、必要に応じて分離可能になった安全具をさらに含むことが好ましい。
前記一対の髪ばさみにはそれぞれ多数の安全具装着溝が長手方向に設けられ、前記安全具には、前記安全具装着溝が挿入される多数の突起が設けられることが好ましい。
【発明の効果】
【０００９】
以上のような本発明の美容用コテによると、相対回動するとともに発熱体により発熱する第１髪ばさみ及び第２髪ばさみが共に回転できるので、別途に部品を取り替えなくても、ストレート、ウェーブ、カールなどの多様なヘアスタイルの演出が可能な優れた効果を有する。
【発明を実施するための最良の形態】
【００１０】
以下、本発明の実施例を添付図面に基づいて詳細に説明する。
図１は本発明による美容用コテの全体外観を示す正面図、図２は同美容用コテの断面図である。
本発明のコテ１は所定長さを有する一対の髪ばさみ１０Ａ、１０Ｂを有し、前記髪ばさみ１０Ａ、１０Ｂは一側端部が回転体３０に開閉軸支ピン１２を介して互いに開閉可能に結合され、前記第１及び第２髪ばさみ１０Ａ、１０Ｂは、その対向面部位に、電流供給により発熱する発熱板（図示せず）が装着される。
この際、前記第１及び第２髪ばさみ１０Ａ、１０Ｂは断面略半円状を有することにより、相互接触することが好ましい。
そして、前記回転体３０は、取っ手の役割を果たす固定基体４０に回転中心線Ｃを中心に回転できるように装着される。
また、前記第１髪ばさみ１０Ａと第２髪ばさみ１０Ｂの他側端部には、円弧状の保護先端部１４が結合され、この保護先端部１４は熱によりめったに変形されない材質からなる。
【００１１】
前記第１髪ばさみ１０Ａと第２髪ばさみ１０Ｂには、熱伝導率が低く、熱により概して変形されない材質からなった安全具１６が装着される。前記安全具１６は第１髪ばさみ１０Ａと第２髪ばさみ１０Ｂが互いに接触する部位を除いた残り部位を取り囲むように形成され、必要時に分離可能な構造であればよい。
【００１２】
図１及び図５に示すように、前記第１髪ばさみ１０Ａと第２髪ばさみ１０Ｂの各々には、多数の安全具装着溝１１が長手方向に形成され、前記安全具１６には、前記安全具装着溝１１に挿入される多数の突起１７が設けられる。
前記安全具装着溝１１は髪ばさみの半径方向外側にその幅が減少する断面形状を有し、前記突起１７は、安全具装着溝１１に対応するように、半径方向内側にその幅が増加する断面形状を有するので、安全具１６が第１及び第２髪ばさみ１０Ａ、１０Ｂに装着された後、長手方向への滑り運動は可能であるが半径方向外側への分離はできないようにする。
【００１３】
前記第１髪ばさみ１０Ａと第２髪ばさみ１０Ｂは髪ばさみ開閉部により動作して、互いに接触した"閉鎖状態"又は互いに広がった"開放状態"となる。本明細書において、閉鎖状態は、図２に示すように、前記第１髪ばさみ１０Ａと第２髪ばさみ１０Ｂが相互接触した状態を示し、開放状態は、図３に示すように、前記第１髪ばさみ１０Ａと第２髪ばさみ１０Ｂが所定角度だけ広げられた状態を示す。
【００１４】
前記髪ばさみ開閉部は、前記第１髪ばさみ１０Ａ及び第２髪ばさみ１０Ｂを初期位置、例えば閉鎖状態に復帰させるように付勢する復帰手段と、前記復帰手段により加わる力を克服しながら、前記第１髪ばさみ１０Ａ及び第２髪ばさみ１０Ｂを相互離隔する方向、例えば前記第１髪ばさみ１０Ａと第２髪ばさみ１０Ｂが互いに広がる方向に開放させて、拡開状態となるようにする開放手段とを含む。
【００１５】
前記復帰手段は、前記第１髪ばさみ１０Ａ及び第２髪ばさみ１０Ｂにそれぞれ弾性力を与えて第１髪ばさみ１０Ａ及び第２髪ばさみ１０Ｂを閉鎖状態に復帰させる弾性スプリング２０Ａ、２０Ｂを含む。前記弾性スプリング２０Ａ、２０Ｂは一側端部が第１髪ばさみ１０Ａ及び第２髪ばさみ１０Ｂに連結され、他側端部が回転体３０に連結される。前記復帰手段のほかの例として、一側端部が第１髪ばさみ１０Ａに連結され、他側端部が第２髪ばさみ１０Ｂに連結される一つの弾性スプリングにより、第１髪ばさみ１０Ａ及び第２髪ばさみ１０Ｂを閉鎖状態に復帰させることもできる。
【００１６】
前記開放手段は、第１髪ばさみ１０Ａと第２髪ばさみ１０Ｂから延長してそれぞれ第１髪ばさみ１０Ａと第２髪ばさみ１０Ｂと共に作動し、前記回転体３０の回転中心線Ｃに対称に配置された従動体５０Ａ、５０Ｂと、前記従動体５０Ａ、５０Ｂを駆動させて前記第１髪ばさみ１０Ａと第２髪ばさみ１０Ｂを開放させる駆動体６０と、前記駆動体６０を回転中心線Ｃに平行な方向に移動させる回転ボタン６４とを含む。
【００１７】
図４に詳細に示すように、前記従動体５０Ａ、５０Ｂは、前記第１髪ばさみ１０Ａと第２髪ばさみ１０Ｂが相互近接する方向、つまり閉鎖状態に閉鎖されると、相互離隔する方向に広げられる。前記従動体５０Ａ、５０Ｂの端部には、開閉軸支ピン１２から遠くなるほど回転中心線Ｃからの外径が増加する従動傾斜面５２Ａ、５２Ｂがそれぞれ形成される。
また、前記駆動体６０は、前記回転中心線Ｃに平行な方向に滑り移動可能に前記固定基体４０に装着される。この駆動体６０には、前記従動傾斜面５２Ａ、５２Ｂを外側から取り囲むように形成され、その従動傾斜面５２Ａ、５２Ｂと面接触する駆動傾斜面６２が設けられる。
【００１８】
前記回転ボタン６４は前記駆動体６０に一体的に形成され、前記固定基体４０から外部に突出している。したがって、使用者が前記回転ボタン６４を指などで固定基体４０側に、つまり後方に押し込むと、前記駆動体６０が回転中心線Ｃと平行に後方に滑り移動される。
【００１９】
前記従動傾斜面５２Ａ、５２Ｂと駆動傾斜面６２は、相対的な滑り運動及び回転運動が円滑になされるよう、滑らかに形成される。好ましくは、磨耗防止などのため、前記従動傾斜面５２Ａ、５２Ｂと駆動傾斜面６２を金属材質でコートすることも好ましい。
前記回転体３０は、髪ばさみ回転部により、回転中心線Ｃを中心に回転する。前記髪ばさみ回転部は、回転力を前記回転体３０に供給するため、前記固定基体４０に装着された駆動モータ７０を含む。前記駆動モータ７０は、前記固定基体４０の外部に突出した駆動ボタン７６により電源を受けて回転駆動される。
好ましくは、前記固定基体４０には、回転軸８０が回転できるよう、前記回転中心線Ｃに沿って長く形成され、固定基体４０に回転可能に装着される。前記回転軸８０の一側端部は前記回転本体３０に連結され、他側端部には従動ベベルギヤ８２が連結される。前記従動ベベルギヤ８２は駆動ベベルギヤ７２と噛み合うように装着され、前記駆動ベベルギヤ７２は減速器７４を介して駆動モータ７０に連結される。
また、前記固定基体４０には、前記駆動モータ７０の回転方向を転換させる回転方向転換ボタン７８が設けられ、前記第１髪ばさみ１０Ａと第２髪ばさみ１０Ｂに設けられた発熱板（図示せず）の温度を調節するための温度調節ボタン７９が設けられる。
前記固定基体４０には、外部電源を受けるため、プラグを有する電線９０が連結されるが、別途の充電池により電源を受けることもできる。
また、前記固定基体４０には回転速度調節具７７が設けられるので、その速度調節具７７を回転させることにより、第１髪ばさみ１０Ａ及び第２髪ばさみ１０Ｂの回転速度を調節することができる。
【００２０】
つぎに、このように構成された本発明の作用を図２ないし図４に基づいて説明する。
本発明の美容用コテ１は、第１髪ばさみ１０Ａと第２髪ばさみ１０Ｂが弾性スプリング２０Ａ、２０Ｂにより、相互接触した状態、つまり閉鎖状態に維持される。使用者が直接自分のヘアスタイルを整えるが、あるいは第３者のヘアスタイルを整えるためには、電線９０に連結されたプラグをコンセントに差し込むことにより、電流を受ける。この際、温度調節ボタン７９は、第１髪ばさみ１０Ａと第２髪ばさみ１０Ｂの発熱板に電流が供給されないように遮断するか、又は低温で加熱されるように、初期状態に設定されていることが好ましい。
そして、指で回転ボタン６４を固定基体４０側に、つまり後方側に押し込むと、駆動体６０が後方に水平に移動しながら、駆動傾斜面６２と面接触した従動体を回動させる。回動中心点である開閉支持ピン１２の後方側に配置された従動体５０Ａ、５０Ｂが相互近接する方向に回動することにより、開閉支持ピン１２の前方側に位置する第１髪ばさみ１０Ａと第２髪ばさみ１０Ｂは相互離隔する方向に回動することにより、開放状態となる。
続いて、使用者は第１髪ばさみ１０Ａと第２髪ばさみ１０Ｂ間に髪の毛を位置させた後、前記回転ボタン６４に加えている力を除去すると、弾性スプリング２０Ａ、２０Ｂの復元力により、第１髪ばさみ１０Ａと第２髪ばさみ１０Ｂの初期位置、つまり閉鎖状態に回動される。
髪の毛が第１髪ばさみ１０Ａと第２髪ばさみ１０Ｂ間、より正確には、発熱板（図示せず）間に位置するとき、温度調節ボタン７９により発熱板の温度を適切に調節すると、第１髪ばさみ１０Ａと第２髪ばさみ１０Ｂ間の髪の毛が加熱されて、使用者の所望スタイル、例えばストレート形状に成形される。
【００２１】
また、髪の毛をウェーブ又はカール形状に成形しようとする場合、駆動ボタン７６を押し込んで、髪の毛を掴んでいる髪ばさみを回転軸を中心に回転させる。すなわち、駆動ボタン７６を押し込んで駆動モータ７０を回転させると、前記駆動モータ７０の回転力が減速器７４、駆動ベベルギヤ７２、従動ベベルギヤ８２、及び回転軸８０介して回転体３０に伝達される。これにより、前記回転体３０、及びそれに設けられた第１髪ばさみ１０Ａと第２髪ばさみ１０Ｂが回転中心線Ｃを中心に回転して、髪の毛にウェーブの形を与える。この際、回転方向転換ボタン７８を押し込むことにより、前記回転体３０と前記第１髪ばさみ１０Ａ及び第２髪ばさみ１０Ｂの回転方向を転換させることができる。
したがって、使用者は前記第１髪ばさみ１０Ａと第２髪ばさみ１０Ｂに設けられた発熱板を取り替えなくても、髪の毛をストレート、ウェーブ、カールなどの所望のスタイルに演出することができる。
特に、前記駆動ボタン７６の操作により、前記第１髪ばさみ１０Ａと第２髪ばさみ１０Ｂが最初状態から時計又は反時計方向に０〜３６０°のいずれか一位置に回転して停止することができるので、自由なヘアスタイルの演出が可能である。
【図面の簡単な説明】
【００２２】
【図１】本発明による美容用コテの全体外径を示す正面図である。
【図２】図１の美容用コテの断面図である。
【図３】本発明による美容用コテが拡開された状態を示す断面図である。
【図４】本発明による美容用コテの要部を示す断面図である。
【図５】本発明による美容用コテの髪ばさみと該髪ばさみに装着された安全具を詳細に示す断面図である。
【符号の説明】
【００２３】
１０Ａ、１０Ｂ    第１及び第２髪ばさみ
１２              開閉軸支ピン
２０Ａ、２０Ｂ    弾性スプリング
３０              回転体
４０              固定基体
５０Ａ、５０Ｂ    従動体
５２Ａ、５２Ｂ    従動傾斜面
６０              駆動体
６２              駆動傾斜面
６４              回転ボタン
７０              駆動モータ
７２              駆動ベベルギヤ
７４              減速器
７６              駆動ボタン
８０              回転軸
８２              従動ベベルギヤ
Ｃ                回転中心線
【図１】
2005152588.tif 000003
【図２】
2005152588.tif 000004
【図３】
2005152588.tif 000005
【図４】
2005152588.tif 000006
【図５】
2005152588.tif 000007